(57)【特許請求の範囲】
【請求項１】
輪転機において版胴に巻き付けた刷版を固定する刷版の固定装置であって、刷版の咥側と咥尻側を差し込むために、版胴の外周に形成された軸方向に延びる刷版差し込み溝と、刷版の咥側と咥尻側の幅方向両側端部を、前記刷版差し込み溝内で重ね合わせて、咥尻側が当接する面である拘束面に押圧して固定するための版押さえ板と押さえボルトを備えた刷版の固定装置
【請求項２】
前記版胴が、回転軸と、回転軸に挿入、抜き出し自在に嵌合するようにして着脱自在に取り付けられたスリーブ胴とで構成され、このスリーブ胴の外周に前記刷版差し込み溝が形成されていることを特徴とする請求項１に記載の刷版の固定装置。
【請求項３】
前記刷版差し込み溝の幅が、刷版の咥側と咥尻側の厚さの合計に０．１ｍｍから０．２ｍｍを加えた寸法であることを特徴とする請求項１に記載の刷版の固定装置。
【請求項４】
版押さえ板には押さえボルトのネジと同径のタップ穴が貫通しており、押さえボルトの首下の外径が、版押さえ板の板厚より長い区間で版押さえ板のタップ穴の内径より細くなっていることを特徴とする請求項１に記載の刷版の固定装置。
【発明の詳細な説明】
【技術分野】
【０００１】
本発明は、輪転機において版胴に巻き付けた刷版を固定する、刷版の固定装置に関する。
【背景技術】
【０００２】
連続紙に天地長さの異なる印刷画像を印刷するスリーブ胴交換式バリアブル印刷機が特許文献１で公知であるが、この種の印刷機は、版胴交換を手作業で行うので、極力スリーブ胴の肉厚を薄くして軽量化を図る必要があり、同公報の図４、図５には、刷版装着において版巻棒や版クランプを使用しない、刷版の咥側と咥尻側を溝に差込むだけの差込み式刷版が示されている。
【０００３】
しかし、この方式は単に刷版の咥側と咥尻側を溝に差し込むだけなので、刷版の固定が不確実であった。特許文献２や、特許文献３には、金属，ゴム，樹脂、あるいは板バネ等の圧入部材を溝に圧入して刷版の固定を確実にするものが示されているが、幅方向全体に圧入部材を圧入することが困難であった。また、圧入部材の分だけ溝幅を広くする必要があるため、版胴の高速回転時に溝部でのバウンド（振動）や騒音、印刷障害を発生していた。
【先行技術文献】
【特許文献】
【０００４】
【特許文献１】特開２０１４−９１３０１号公報
【特許文献２】特開２０１２−１６６５６９号公報
【特許文献３】特開２００２−３２６３４１号公報
【発明の概要】
【発明が解決しようとする課題】
【０００５】
本発明が解決しようとする課題は、高速印刷時の版胴の溝部に起因する振動・騒音が少なく、版をより確実に固定できる、スリーブ胴等の軽量化が必要な版胴に適した刷版固定装置を提供することにある。
【課題を解決するための手段】
【０００６】
本発明による刷版の固定装置は、輪転機において版胴に巻き付けた刷版を固定する刷版の固定装置であって、刷版の咥側と咥尻側を差し込むために、版胴の外周に形成された軸方向に延びる刷版差し込み溝と、刷版の咥側と咥尻側の幅方向両側端部を、前記刷版差し込み溝内で重ね合わせて、咥尻側が当接する面である拘束面に押圧して固定するための版押さえ板と押さえボルトを備えたものである。
上記刷版の固定装置において、 前記版胴が、回転軸と、回転軸に挿入、抜き出し自在に嵌合するようにして着脱自在に取り付けられたスリーブ胴とで構成され、このスリーブ胴の外周に前記刷版差し込み溝が形成されている。
また、前記刷版差し込み溝の幅が、刷版の咥側と咥尻側の厚さの合計に０．１ｍｍから０．２ｍｍを加えた寸法である。
また、版押さえ板には押さえボルトのネジと同径のタップ穴が貫通しており、押さえボルトの首下の外径が、版押さえ板の板厚より長い区間で版押さえ板のタップ穴の内径より細くなっている。
【発明の効果】
【０００７】
本発明によれば、刷版を版胴に装着後、刷版の幅方向両側端部を版押え板で版胴に固定するので、圧入部材を圧入するため版胴の溝幅を広げる必要がなく、高速印刷時に溝部でのバウンド（振動）や騒音、印刷障害が少なく、かつ版の固定が確実な、スリーブ胴等の軽量化が必要な版胴に適した刷版の固定装置にすることができる。
【図面の簡単な説明】
【０００８】
【図１】本発明による刷版の固定装置を有する版胴及び版胴装置の一例を示す断面図である。
【図２】図１のY−Ｙ断面図である。
【図３】差し込み式刷版の取付動作説明図である。
【図４】スリーブ胴３の刷版差し込み溝４を含んだ端面３ａの説明図である。
【発明を実施するための形態】
【０００９】
図１は版胴２を示し、版胴２は、本体フレーム１ａ、１ｂの軸受部材１０、１１で回転自在に支持される回転軸２０と、スリーブ胴３とから構成される。スリーブ胴３は、筒体３１の内周面に中心部分が円形に開口した円板状のリブ３２を軸方向に間隔を置いて複数有してなる胴本体３３から成り、回転軸２０に挿入、抜き出し自在に嵌合するようにして着脱自在に取り付けられている。
【００１０】
図２に示すように、版胴２のスリーブ胴３（胴本体３３）においては、差し込み式の刷版５の咥側５ａと咥尻側５ｂを差し込むための溝としてスリーブ胴３の外周に軸方向に延びる刷版差し込み溝４が形成されている。そして、図３（ａ）に示すように刷版差し込み溝４に差し込み式の刷版５の咥側５ａを挿入し、その差し込み式の刷版５を図３（ｂ）に示すようにスリーブ胴３の外周面に巻き付け、図３（ｃ）に示すように差し込み式の刷版５の咥尻側５ｂを刷版差し込み溝４に挿入することで、差し込み式の刷版５をスリーブ胴３の外周面に取り付けるようになっている。
【００１１】
前述の刷版差し込み溝４は差し込み式の刷版５の咥側５ａと咥尻側５ｂを挿入できる深さが必要であるが、前述のようにスリーブ胴３（筒体３１）の肉厚は、軽量化のために薄いので、スリーブ胴３の内周面（筒体３１の内周面）に溝加工用凸部４１を軸方向に連続するようにして設け、その溝加工用凸部４１に刷版差し込み溝４を形成することで、スリーブ胴３の肉厚が薄くとも所定の深さの刷版差し込み溝４を形成できるようにしてある。つまり、スリーブ胴３（筒体３１）の肉厚よりも刷版差し込み溝４の深さが大きい。
【００１２】
図４（ａ）は刷版差し込み溝４を含んだスリーブ胴３の端面３ａの正面図、図４（ｂ）はその上面図で、差し込み式の刷版５は２点鎖線で示している。図４（ｃ）は同側面図で、端面３ｂも左右対称で同じ形状と構成になっていて、版幅Ｌの差し込み式の刷版５が、端面３ａ（端面３ｂ）から距離Ｌ１だけ内側に位置するようにしてスリーブ胴３の外周面に巻き付けられ、その咥側５ａと咥尻側５ｂが刷版差し込み溝４に差し込まれた状態を示している。
【００１３】
図４（ｂ）に示すように、刷版差し込み溝４のスリーブ胴３の円周方向の幅は、差し込み式の刷版５の咥側５ａと咥尻側５ｂの厚さの合計に０．１ｍｍから０．２ｍｍを加えた寸法で極力狭くしている。極力狭くした刷版差し込み溝４に、折り曲げ加工等でスリーブ胴３の径方向に曲げ且つ円周方向にわずかに変形させた咥側５ａと咥尻側５ｂを強制的に差し込むことで、咥側５ａと咥尻側５ｂが、その変形箇所が版差し込み溝４の壁面に押しつけられて溝から外れ難くなるとともに、高速回転時における溝部でのバウンド（振動）や騒音、印刷障害を少なくすることができる。
【００１４】
また、図４（ｂ）に示すように、差し込み式の刷版５の咥側５ａと咥尻側５ｂの幅方向両側端部が、刷版差し込み溝４内で重ね合わせた状態で、版押さえ板６と押さえボルト７にて咥尻側５ｂが当接する面である拘束面４ｂに幅Ｎにわたり押圧され固定されるようになっているので、回転時に刷版５の咥側５ａと咥尻側５ｂの刷版差し込み溝４への差し込みが緩んでも、刷版５が脱落することはない。なお、版押さえ板６の押圧力は、版押さえ板６と拘束面４ｂに介在する座金状のシム８の厚みを増減することで調整することもできる。
【００１５】
図４（ｃ）に示すように、スリーブ胴３には、刷版差し込み溝４の両端に連続して、拘束面４ｂに版押さえ板６と押さえボルト７を装着するための、押さえボルト７の頭部より大きなコーナーＲがついた切り欠き９ａと、拘束面４ｂに平行な切り欠き９ｂが設けてある。端面３ａから距離Ｌ１の位置にある差し込み式刷版５の端縁は、切り欠き９ａの垂直面より内側になっている。これは、切り欠き９ａのところに刷版があってもそこにはスリーブ胴３の周面が存在しないので印圧が抜けて印刷にならないからである。また、切り欠き９ａを設けるためにはそれに必要な分だけスリーブ胴３を軸方向に延長する必要があり、そうするとスリーブ胴３が重くなってしまうので、スリーブ版胴３の軽量化のため切り欠き９ａのスリーブ胴３の軸方向の幅は最小限に抑えるのが望ましい。また、切り欠き９ｂは、図４（ｂ）のように、刷版差し込み溝４における拘束面４ｂの対面を、切り欠き９ａの垂直面からＮ以上の長さで版押さえ板６が入る幅に切削して形成したものであるが、刷版差し込み溝４のスリーブ胴３の円周方向の幅が広い場合や、版押さえ板６が薄くできる場合は不要である。
【００１６】
また、版押さえ板６には押さえボルト７のネジと同径のタップ穴６ａが貫通しており、押さえボルト７の首下７ａの外径は、版押さえ板６の板厚より長い区間でタップ穴６ａの内径より細くなっている。この構成により、押さえボルト７を版押さえ板６のタップ穴６ａにねじ込み、さらに拘束面４ｂのタップ穴４ｃにねじ込んだ図４（ｂ）の状態において、押さえボルト７は、版押さえ板６に拘束されず自由に回動できて版押さえ板６の押圧力を調整できるとともに、抜け方向に対しては、押さえボルト７のネジと版押さえ板６のタップ穴６ａが干渉し、かつ版押さえ板６がスリーブ胴３の切り欠き９ａの縁部等に拘束されているので、押さえボルト７がスリーブ胴３から脱落することはない。
【符号の説明】
【００１７】
１ａ、１ｂ    本体フレーム    
２            版胴
３            スリーブ胴
３ａ、３ｂ     スリーブ胴の端面
４             刷版差し込み溝
４ｂ          拘束面
４ｃ          タップ
５             刷版
５ａ           咥側
５ｂ           咥尻側
６             版押さえ板
７             押さえボルト
８             座金状のシム
９ａ  、９ｂ   切り欠
１０、１１    軸受部材
２０          回転軸
３１          筒体
３２          リブ
３３          胴本体
４１          溝加工用凸部
【図１】
0006297479.tif 000002
【図２】
0006297479.tif 000003
【図３】
0006297479.tif 000004
【図４】
0006297479.tif 000005